(57)【要約】      （修正有）【課題】視覚障害者に点字タイルの凹凸を感じさせないようにするための点字養生部材を提供する。【解決手段】路面に敷設された点字タイル１０に取り付けられる点字養生部材１０１であって、点字タイル１０の凹凸の底面部１２に取り付けられ、取り付けられた状態で上面１０１ｂが点字タイル１０の凸部１１の上面１１ａと同じ高さになる板状の本体部１０２を備えている。【選択図】図４
0003199170.tif 000002
【実用新案登録請求の範囲】
【請求項１】
路面に敷設された点字タイルに取り付けられる点字養生部材であって、
前記点字タイルの凹凸の底面部に取り付けられ、取り付けられた状態で上面が前記点字タイルの凸部の上面と同じ高さになる板状の本体部を備えたことを特徴とする点字養生部材。
【請求項２】
前記点字タイルには丸形凸部が間隔をあけて複数形成されており、前記本体部には、丸形凸部の位置に対応して貫通穴が形成されていることを特徴とする請求項１に記載の点字養生部材。
【請求項３】
前記点字タイルには突条部が長手方向を揃えて間隔をあけて複数形成されており、前記本体部は、隣り合う前記突条部の間を埋めるように長尺に形成されていることを特徴とする請求項１に記載の点字養生部材。
【請求項４】
隣り合って敷設される複数の前記点字タイルに亘って取り付けられるように長尺に形成されていることを特徴とする請求項３に記載の点字養生部材。
【考案の詳細な説明】
【技術分野】
【０００１】
本考案は、道路などに敷設されている点字タイルを養生するための点字養生部材に関する。
【背景技術】
【０００２】
従来、駅のホームや改札口、或いは歩道などには、点字タイルが敷設されている。この点字タイルは、視覚障害者が杖をつきながらこの点字タイルの凹凸を確認することで、点字タイルの誘導によって安全に歩くことができるようにするためのものである（例えば、特許文献１参照）。
【先行技術文献】
【特許文献】
【０００３】
【特許文献１】特開平７−２９２６２３号公報
【考案の概要】
【考案が解決しようとする課題】
【０００４】
このような点字タイルは、路面から容易に剥がれないように、例えばコンクリート等で固めて取り付けられている。一方、駅のホームなどでは、改装工事（例えば、駅構内の施設拡張工事や、停車する電車と乗客との間にホームドアを新設する工事など）の際に、点字タイルの誘導経路を変更しなければならい。そのため、従来では、この点字タイルの上にゴム製のマットを敷き、点字タイルの凹凸を視覚障害者に感じさせないようにするとともに、新たな誘導経路に沿って仮設の点字タイルを敷設していた。そして、工事完了後に、仮設の点字タイルを取り外し、既設の点字タイルを再度利用していた。
【０００５】
しかしながら、上述したゴム製のマットでは、点字タイルの凹凸を完全に感じさせないようにすることは困難である。また、ゴム製のマットでは、歩行者の重みで変形し、経時的に凹凸が感じられるようになってしまう。
【０００６】
本考案は、上述した事情を鑑みてなされたものであり、視覚障害者に点字タイルの凹凸を感じさせないようにするための点字養生部材を提供するためのものである。
【課題を解決するための手段】
【０００７】
上述課題を解決するため、本考案に係る点字養生部材は、路面に敷設された点字タイルに取り付けられる点字養生部材であって、前記点字タイルの凹凸の底面部に取り付けられ、取り付けられた状態で上面が前記点字タイルの凸部の上面と同じ高さになる板状の本体部を備えたことを特徴とする。
【０００８】
また、前記点字タイルには丸形凸部が間隔をあけて複数形成されており、前記本体部には、丸形凸部の位置に対応して貫通穴が形成されていてもよい。
【０００９】
さらに、前記点字タイルには突条部が長手方向を揃えて間隔をあけて複数形成されており、前記本体部は、隣り合う前記突条部の間を埋めるように長尺に形成されていてもよい。
【００１０】
さらにまた、隣り合って敷設される複数の前記点字タイルに亘って取り付けられるように長尺に形成されていてもよい。
【考案の効果】
【００１１】
本考案によれば、路面に敷設された点字タイルに取り付けられる点字養生部材であって、前記点字タイルの凹凸の底面部に取り付けられ、取り付けられた状態で上面が前記点字タイルの凸部の上面と同じ高さになる板状の本体部を備えているので、点字タイルに取り付けられた状態では、上面部分で点字タイルの凹凸を感じさせない程度にフラットな状態にすることができる。そのため、視覚障害者が誤って凹凸を認識することを防止することができる。
【図面の簡単な説明】
【００１２】
【図１】本考案の第１実施の形態に係る点字養生部材の平面図である。
【図２】図１のＡ−Ａ断面図である。
【図３】点字タイルに点字養生部材を取り付けた状態の断面図である。
【図４】変形例であって、点字タイルに貫通穴を溝で形成した点字養生部材を取り付けた状態の断面図である。
【図５】本考案の第２実施形態に係る点字養生部材を、突条部を有する点字タイルに取り付けた状態を示す平面図である。
【図６】隣り合う複数の点字タイルに１つの点字養生部材を取り付けた状態を示す平面図である。
【考案を実施するための形態】
【００１３】
（第１実施形態）
以下、本考案の実施形態に係る点字養生部材１の第１実施例について、図１〜図４を用いて説明する。
【００１４】
点字養生部材１は、図１に示すように、矩形状に形成された平板状の本体部２と、この本体部２を貫通する複数の貫通穴３とで構成されている。これらの貫通穴３は、地面に敷設される点字タイル１０（図３参照）に設けられた複数の丸形凸部１１の突起位置にそれぞれ対応して形成されている。本実施の形態では、点字タイル１０の丸形凸部１１が平面視において碁盤目状に配置されており、対応する貫通穴３もこれに対応して碁盤目状に配置されている。
【００１５】
この点字養生部材１の底面１ａは、図３に示すように、点字タイル１０の凹凸の底面部１２に面で接する態様で取り付けられ、上述した丸形凸部１１が貫通穴３の中に入り込むようになる。このようにして取り付けられた状態では、点字養生部材１の上面１ｂは、点字タイル１０の丸形凸部１１の頂部上面１１ａとほぼ同じ高さになるようにしてある。
【００１６】
点字養生部材１の素材としては、樹脂材料などの軽量で低価格のものが好ましい。また、ある程度の荷重に対して凹んだり割れたりしない強度を有する必要がある。本実施形態の点字養生部材１は、プラスチック段ボール（プラダン、ダンプラ、中空ポリカ等と呼ばれている）を用いてこれらの特性を担保している。なお、上述したプラスチック段ボールは１例であり、他の優れた安い単価の素材ができたときには、それに置き換えて製作することができる。
【００１７】
貫通穴３は、上下にプレス加工等でうち抜く態様で形成されている。貫通穴３の穴径は、上述した丸形凸部１１（一般的には円錐台形）の底辺の直径よりも大きく形成されている。これにより、図１における紙面上下左右方向にある程度の遊びを設け、取付時の寸法誤差等を許容している。
【００１８】
このように点字タイル１０に点字養生部材１を取り付けた後には、その上面全体を覆うようにしてゴム製マットが敷設される。ゴム製マットを敷設した状態では、丸形凸部１１の形状によってゴム製マットが歩行者の重みで変形することがなく、かつ、視覚障害者に対して丸形凸部１１の凹凸を感じさせることがない。
【００１９】
本発明の点字養生部材１では、点字タイル１０の凹凸の底面部１２に取り付けられ、取り付けられた状態で上面１ｂが点字タイル１０の丸形凸部１１の上面１１ａと同じ高さになる板状の本体部２を備えているので、点字タイル１０に取り付けられた状態では、点字タイル１０の凹凸を感じさせない程度にフラットな状態にすることができる。そのため、視覚障害者が誤って凹凸を認識することを防止することができる。
【００２０】
また、点字タイル１０には丸形凸部１１が間隔をあけて複数形成されており、本体部２には、丸形凸部１１の位置に対応して貫通穴３が形成されているので、より簡単な構造で製作することができ、かつ、丸形凸部１１の凹凸を感じさせないようにすることができる。
【００２１】
以上、本考案の第１実施形態に係る点字養生部材１について述べたが、本考案は既述の実施形態に限定されるものではなく、本考案の技術思想に基づいて各種の変形および変更が可能である。
例えば、貫通穴３以外であっても構わない。図４に示すように、本体部１０２の板厚を少し大きく形成し、丸形凸部１１が入り込むような丸形溝１０３で形成することもできる。この丸形溝１０３は、ざぐり加工或いはプレス圧縮加工することで形成することができる。このようにすれば、点字養生部材１０１の上面１０１ｂを凹凸のない完全にフラットな状態にすることができる。
【００２２】
（第２実施形態）
以下、本考案の実施形態に係る点字養生部材２０１の第２実施例について、図５および図６を用いて説明する。
【００２３】
点字タイル２１０は、図５に示すように、第１実施例の点字タイル１０の丸形凸部１１とは異なり、直線的に延びる突条部２１１を備えている。この突条部２１１は、長手方向を揃えて間隔をあけて複数形成されている。点字養生部材２０１の本体部２０２は、隣り合う突条部２１１の間を埋めるようにして長尺に帯状に形成されている。
【００２４】
この点字養生部材２０１の底面は、第１実施形態と同様に、点字タイル２１０の底面部２１２に面で接する態様で取り付けられる。このようにして取り付けられた状態では、点字養生部材２０１の上面２０１ｂは、点字タイル２１０の突条部２１１の頂部上面２１１ａとほぼ同じ高さになるようにしてある。なお、点字養生部材２０１の素材は、第１実施形態と同じで、プラスチック段ボールを用いている。
【００２５】
また、点字養生部材２０１の幅は、突条部２１１の隣り合う間隔よりも若干小さく形成されており、図５における紙面上下方向に対してある程度の遊びを設け、取付時の製造誤差等を許容している。
【００２６】
このように点字タイル２１０に点字養生部材２０１を取り付けた後には、その上面全体を覆うようにしてゴム製マットが敷設される。このようにしてゴム製マットを敷設した状態では、ゴム製マットが歩行者の重みで変形することがなく、かつ、視覚障害者に対して点字タイル２１０の突条部２１１の凹凸を感じさせることがない。
【００２７】
また、点字タイル２１０は、図６に示すように、隣り合って敷設される複数の点字タイル２１０に亘って取り付けられるように長尺に形成することもできる。第１実施形態で示す丸形凸部１１を有する点字タイルでは、隣り合って敷設される複数の点字タイル１０に亘って１つの点字養生部材を製作すると、点字タイル１０の取付誤差等によって丸形凸部１１と貫通穴３の位置がずれて取り付けられないことがある。そのため、複数の点字タイルに亘って取り付けずに、１つの点字タイル１０に１枚の点字養生部材１を取り付けるようにしている。
【００２８】
一方、突条部２１１で構成された点字タイル２１０は、多少の取付誤差があっても、点字養生部材２０１が直線状であるために、取り付けることができる。これにより、点字タイルの複数に亘って点字養生部材２０１を敷設することができるので、敷設作業の手間を少なくすることができる。
【００２９】
本発明の点字養生部材２０１では、点字タイル２１０には突条部２１１が長手方向を揃えて間隔をあけて複数形成されており、本体部２０２は、隣り合う突条部２１１の間を埋めるように長尺に形成されているので、より簡単な構造（１本の帯状の構造）で製作することができ、かつ、突条部２１１の凹凸を感じさせないようにすることができる。
【００３０】
また、隣り合って敷設される複数の点字タイル２１０に亘って取り付けられるように長尺に形成されているので、点字養生部材２０１を１つ１つの点字タイル２１０に取り付けていく作業と比較して、敷設作業の手間を省くことができる。
【００３１】
以上、本考案の第２実施形態に係る点字養生部材２０１について述べたが、本考案は既述の実施形態に限定されるものではなく、本考案の技術思想に基づいて各種の変形および変更が可能である。
例えば、第１実施形態のように点字養生部材の本体部に突条部２１１が入り込むような長穴を設けるようにしてもよい。また、第１実施形態の図４で示すように、突条部２１１が入り込む突条溝を設けるようにしてもよい。
【符号の説明】
【００３２】
１、１０１、２０１  点字養生部材
１ａ  底面
１ｂ、１０１ｂ、２０１ｂ  上面
２、１０２、２０２  本体部
３  貫通穴
１０、２１０  点字タイル
１１  丸形凸部（凸部）
１１ａ、２１１ａ  頂部上面
１２、２１２  底面部
１０３  丸形溝
２１１  突条部（凸部）
【図１】
0003199170.tif 000003
【図２】
0003199170.tif 000004
【図３】
0003199170.tif 000005
【図４】
0003199170.tif 000006
【図５】
0003199170.tif 000007
【図６】
0003199170.tif 000008